(57)【要約】【課題】  撮像条件を示すアイコン・文字列のスムーズ拡大縮小表示において、視認性を良くするとともに、リソースの使用量を低減させる。【解決手段】  拡大縮小の可変描画時と、可変後の固定描画時において異なる形式の画像データを利用する。【選択図】        図１
2006086966.tif 000002
【特許請求の範囲】
【請求項１】
画像データをサイズ可変で表示する画像処理装置であって、連続してサイズを可変する可変描画中はベクタ図形を用い、可変描画停止時はラスタ図形を用いることを特徴とする画像処理装置。
【請求項２】
可変描画開始、停止は操作手段の操作に起因することを特徴とする請求項１に記載の画像処理装置。
【請求項３】
可変描画停止の際は現在のベクタ図形のサイズにもっとも近いラスタ図形を表示することを特徴とする請求項１または２に記載の画像処理装置。
【請求項４】
可変描画停止の際は現在のベクタ図形のサイズにもっとも近いラスタ図形のサイズまでベクタ図形で可変表示をすることを特徴とする請求項１または２に記載の画像処理装置。
【請求項５】
可変描画停止の際は可変描画の拡大または縮小の方向に依存し、可変中の方向（拡大方向または縮小方向）において現在のベクタ図形のサイズにもっとも近いラスタ図形を表示することを特徴とする請求項１または２に記載の画像処理装置。
【請求項６】
可変描画停止の際は可変描画の拡大または縮小の方向に依存し、可変中の方向（拡大方向または縮小方向）において現在のベクタ図形のサイズにもっとも近いラスタ図形のサイズまでベクタ図形で可変表示をすることを特徴とする請求項１または２に記載の画像処理装置。
【請求項７】
画像データをサイズ可変で表示する表示方法であって、連続してサイズを可変する可変描画中はベクタ図形を用い、可変描画停止時はラスタ図形を用いることを特徴とする表示方法。
【請求項８】
可変描画開始、停止は特定の指示信号に起因することを特徴とする請求項７に記載の表示方法。
【請求項９】
可変描画停止の際は現在のベクタ図形のサイズにもっとも近いラスタ図形を表示することを特徴とする請求項７または８に記載の表示方法。
【請求項１０】
可変描画停止の際は現在のベクタ図形のサイズにもっとも近いラスタ図形のサイズまでベクタ図形で可変表示をすることを特徴とする請求項７または８に記載の表示方法。
【請求項１１】
可変描画停止の際は可変描画の拡大または縮小の方向に依存し、可変中の方向（拡大方向または縮小方向）において現在のベクタ図形のサイズにもっとも近いラスタ図形を表示することを特徴とする請求項７または８に記載の表示方法。
【請求項１２】
可変描画停止の際は可変描画の拡大または縮小の方向に依存し、可変中の方向（拡大方向または縮小方向）において現在のベクタ図形のサイズにもっとも近いラスタ図形のサイズまでベクタ図形で可変表示をすることを特徴とする請求項７または８に記載の表示方法。
【発明の詳細な説明】
【技術分野】
【０００１】
本発明は、画像データ及び文字データを再生する画像処理装置及び表示方法に関する。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダを備える電子カメラも販売されている。
【０００３】
また、近年の電子カメラでは撮影のための各種パラメータの設定変更が可能であり、これらの設定情報及び再生画像の画像情報、記録媒体情報等をカラー液晶パネル上に表示可能であり使用者にとっては有益な情報となっている。
【０００４】
このような従来の電子カメラ等の画像処理装置においては、カラー液晶パネル等の電子ファインダに多数の設定情報、画像情報、記録媒体情報等を画像アイコンまたは文字により表示されるためユーザーの認識を向上させるために設定中の項目に該当する画像アイコンまたは文字等をアニメーション化し注目させるものがあった。
【特許文献１】特開平１０−１６１８３７号公報
【発明の開示】
【発明が解決しようとする課題】
【０００５】
このような従来の電子カメラ等の画像処理装置においては、カラー液晶パネル等の電子ファインダに多数の設定情報、画像情報、記録媒体情報等を画像または文字により表示され、それぞれについてアニメーションための画像及び文字情報をラスタ図形にて電子カメラ内に保持するには多大なメモリを消費するという問題があった。
【０００６】
一方、カラー液晶パネル等の電子ファインダに表示するための画像アイコン及び文字情報等は、限られた画素で構成するため使用者に認知しやすいようカスタマイズされたラスタ図形を使用するのが一般的であり、メモリ消費を低減させるための手段としてベクタ図形を用いると見栄えが悪く、使用者の認知度が低下するという問題があった。
【０００７】
本発明は、以上の点に着目して成されたもので、撮像条件を示すアイコン・文字列のスムーズ拡大縮小表示において、視認性を良くするとともに、リソースの使用量を低減させる画像処理装置及び表示方法を提供することを目的とする。
【課題を解決するための手段】
【０００８】
本発明に係る画像処理装置においては、第１に、画像データをサイズ可変で表示する画像処理装置であって、制御判定手段と、表示手段を有し、制御判定手段が可変描画中であると判断した場合、ベクタ図形を用いたアニメーション表示を表示手段に表示し、前記制御判定手段が可変描画停止と判断した場合、ラスタ図形を用いた表示を表示手段に表示することを特徴とする。
【０００９】
第２に、上記画像処理装置はさらに操作手段を備え、上記可変描画の開始と停止は前記操作手段の操作に起因することを特徴とする。
【００１０】
第３に、上記画像処理装置において、ベクタ図形による可変描画中に上記制御判定手段により可変描画の停止要因を判断した場合、最も近い大きさのラスタ図形を表示することを特徴とする。
【００１１】
第４に、上記画像処理装置において、ベクタ図形による可変描画中に上記制御判定手段により可変描画の停止要因を判断した場合、最も近い大きさのラスタ図形のサイズまでベクタ図形で可変表示をすることを特徴とする。
【００１２】
第５に、上記画像処理装置において、可変描画停止の際は可変描画の拡大または縮小の方向に依存し、可変中の方向（拡大方向または縮小方向）において現在のベクタ図形のサイズにもっとも近いラスタ図形を表示することを特徴とする。
【００１３】
第６に、上記画像処理装置において、可変描画停止の際は可変描画の拡大または縮小の方向に依存し、可変中の方向（拡大方向または縮小方向）において現在のベクタ図形のサイズにもっとも近いラスタ図形のサイズまでベクタ図形で可変表示をすることを特徴とする。
【００１４】
第７に、画像データをサイズ可変で表示する表示方法であって、制御判定手段と、表示手段を有し、制御判定手段が可変描画中であると判断した場合、ベクタ図形を用いたアニメーション表示を選択し、上記制御判定手段が可変描画停止と判断した場合、ラスタ図形を用いた表示を選択すること特徴とする。
【００１５】
第８に、上記画像処理装置はさらに操作手段を備え、上記ラスタ図形による可変描画の選択とベクタ画像による固定描画の選択は前記操作手段の操作に起因し、選択されることを特徴とする。
【００１６】
第９に、上記表示方法において、ベクタ図形による可変描画中に上記制御判定手段により可変描画の停止要因を判断した場合、最も近い大きさのラスタ図形表示を選択することを特徴とする。
【００１７】
第１０に、上記表示方法において、ベクタ図形による可変描画中に上記制御判定手段により可変描画の停止要因を判断した場合、最も近い大きさのラスタ図形のサイズまでベクタ図形での可変表示を選択することを特徴とする。
【００１８】
第１１に、上記表示方法において、可変描画停止の際は可変描画の拡大または縮小の方向に依存し、可変中の方向（拡大方向または縮小方向）において現在のベクタ図形のサイズにもっとも近いラスタ図形表示を選択することを特徴とする。
【００１９】
第１２に、上記表示方法において、可変描画停止の際は可変描画の拡大または縮小の方向に依存し、可変中の方向（拡大方向または縮小方向）において現在のベクタ図形のサイズにもっとも近いラスタ図形のサイズまでベクタ図形での可変表示をすることを選択することを特徴とする。
【００２０】
上記手段により、カラー液晶パネル等の電子ファインダに多数の設定情報、画像情報、記録媒体情報等を画像または文字によりアニメーション表示する場合、アニメーション情報はベクタ情報より生成するため、システム内のメモリ使用量を抑えることが可能となり、コスト削減につながる。
【００２１】
また、アニメーション終了後の固定表示時にはあらかじめ用意されたラスタ図形を用いることにより、使用者にとって見栄えの良い認知しやすい表示が可能となる。
【００２２】
なお、さらに説明すれば、本発明の第一の発明について下記のように示す。
【００２３】
（１）画像データをサイズ可変で表示する画像処理装置であって、連続してサイズを可変する可変描画中はベクタ図形を用い、可変描画停止時はラスタ図形を用いることを特徴とする画像処理装置。
【発明の効果】
【００２４】
本発明によれば、第１に、画像データをサイズ可変で表示する画像処理装置であって、制御判定手段と、表示手段を有し、制御判定手段が可変描画中であると判断した場合、ベクタ図形を用いたアニメーション表示を表示手段に表示し、上記制御判定手段が可変描画停止と判断した場合、ラスタ図形を用いた表示を表示手段に表示することを特徴とする画像処理装置を提供することが可能となる。
【００２５】
第２に、上記画像処理装置はさらに操作手段を備え、上記可変描画の開始と停止は前記操作手段の操作に起因することを特徴とする画像処理装置を提供することが可能となる。
【００２６】
第３に、上記画像処理装置において、ベクタ図形による可変描画中に上記制御判定手段により可変描画の停止要因を判断した場合、最も近い大きさのラスタ図形を表示することを特徴とする画像処理装置を提供することが可能となる。
【００２７】
第４に、上記画像処理装置において、ベクタ図形による可変描画中に上記制御判定手段により可変描画の停止要因を判断した場合、最も近い大きさのラスタ図形のサイズまでベクタ図形で可変表示をすることを特徴とする画像処理装置を提供することが可能となる。
【００２８】
第５に、上記画像処理装置において、可変描画停止の際は可変描画の拡大または縮小の方向に依存し、可変中の方向（拡大方向または縮小方向）において現在のベクタ図形のサイズにもっとも近いラスタ図形を表示することを特徴とする画像処理装置を提供することが可能となる。
【００２９】
第６に、上記画像処理装置において、可変描画停止の際は可変描画の拡大または縮小の方向に依存し、可変中の方向（拡大方向または縮小方向）において現在のベクタ図形のサイズにもっとも近いラスタ図形のサイズまでベクタ図形で可変表示をすることを特徴とする画像処理装置を提供することが可能となる。
【００３０】
第７に、画像データをサイズ可変で表示する表示方法であって、制御判定手段と、表示手段を有し、制御判定手段が可変描画中であると判断した場合、ベクタ図形を用いたアニメーション表示を表示手段に表示し、上記制御判定手段が可変描画停止と判断した場合、ラスタ図形を用いた表示を表示手段に表示することを特徴とする表示方法を提供することが可能となる。
【００３１】
第８に、上記画像処理装置はさらに操作手段を備え、上記可変描画の開始と停止は前記操作手段の操作に起因することを特徴とする表示方法を提供することが可能となる。
【００３２】
第９に、上記表示方法において、ベクタ図形による可変描画中に上記制御判定手段により可変描画の停止要因を判断した場合、最も近い大きさのラスタ図形を表示することを特徴とする表示方法を提供することが可能となる。
【００３３】
第１０に、上記表示方法において、ベクタ図形による可変描画中に上記制御判定手段により可変描画の停止要因を判断した場合、最も近い大きさのラスタ図形のサイズまでベクタ図形で可変表示をすることを特徴とする表示方法を提供することが可能となる。
【００３４】
第１１に、上記表示方法において、可変描画停止の際は可変描画の拡大または縮小の方向に依存し、可変中の方向（拡大方向または縮小方向）において現在のベクタ図形のサイズにもっとも近いラスタ図形を表示することを特徴とする表示方法を提供することが可能となる。
【００３５】
第１２に、上記表示方法において、可変描画停止の際は可変描画の拡大または縮小の方向に依存し、可変中の方向（拡大方向または縮小方向）において現在のベクタ図形のサイズにもっとも近いラスタ図形のサイズまでベクタ図形で可変表示をすることを特徴とする表示方法を提供することが可能となる。
【００３６】
上記手段により、カラー液晶パネル等の電子ファインダに撮影設定情報等を表示する場合、アニメーション表示を併用し見栄えがよく認知度の高い画像処理装置を提供することが可能となる。
【００３７】
一方使用者を注目点へ誘導する手段として画像のアニメーションによる拡大縮小を行っているが、この過渡的な状態においてはベクタ画像を用いているため、通所のラスタ画像での表現ではそのフレーム分用意しなくてはならない源画像（通常ビットマップデータ）を用意する必要が無くシステムの資源具体的にいえばメモリ５２へ予め用意しておくべき画像情報の削減すなわちＲＯＭ容量の削減になり、コストを抑えた画像処理装置を提供することが可能となる。
【００３８】
また、可変描画途中での任意の可変描画停止の指示があった場合、その時点でのベクタ画像サイズに最も近いラスタ画像を表示することにより、違和感無く見栄えの良いラスタ表示を使用者に提供することが可能となる。
【発明を実施するための最良の形態】
【００３９】
以下、図面を参照して本発明の実施例を説明する。
【実施例】
【００４０】
（第１の実施例）
図１は、本発明の実施例の構成を示す図である。
【００４１】
図９、１０はラスタ図形及びベクタ図形の概念を示す図である。
【００４２】
図１において、１００は画像撮影及び再生装置である。
【００４３】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００４４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００４５】
２０は画像処理回路であり、Ａ／Ｄ変換器１６からのデータ或いはメモリ制御回路２２からのデータに対して所定の画素補間処理や色変換処理を行う。
【００４６】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００４７】
さらに、画像処理回路２０においては、撮像した画像データを用いて所定の演算処理を行い、得られた演算結果に基づいてＴＴＬ方式のＡＷＢ（オートホワイトバランス）処理も行っている。
【００４８】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００４９】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００５０】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００５１】
画像表示部２８を用いて撮像した画像データを逐次表示すれば、電子ファインダ機能を実現することが可能である。
【００５２】
また、画像表示部２８はＯＳＤによる各種情報表示の重畳が可能であり、表示内容としては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。
【００５３】
３０は撮影した静止画像や動画像を格納するためのメモリであり、所定枚数の静止画像や所定時間の動画像を格納するのに十分な記憶量を備えている。
【００５４】
これにより、複数枚の静止画像を連続して撮影する連射撮影やパノラマ撮影の場合にも、高速かつ大量の画像書き込みをメモリ３０に対して行うことが可能となる。
【００５５】
また、メモリ３０はシステム制御回路５０の作業領域としても使用することが可能である。
【００５６】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００５７】
４０は絞り機能を備えるシャッター１２を制御する露光制御手段であり、フラッシュ４８と連携することによりフラッシュ調光機能も有するものである。
【００５８】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００５９】
４８はフラッシュであり、ＡＦ補助光の投光機能、フラッシュ調光機能も有する。
【００６０】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００６１】
５０は画像処理装置１００全体を制御するシステム制御回路、５２はシステム制御回路５０の動作用の定数、変数、プログラム等を記憶するメモリであり、後述するベクタ画像情報（座標情報）、ラスタ画像情報（ビットマップ情報）も保持されている。ベクタ画像とラスタ画像については後述する。
【００６２】
５４はシステム制御回路５０でのプログラムの実行に応じて音声等を用いて動作状態やメッセージ等を表示するスピーカー等の表示部であり例えばＬＥＤ、発音素子等の組み合わせにより構成されている。
【００６３】
また、表示部５４は、その一部の機能が光学ファインダ１０４内に設置されている。
【００６４】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００６５】
５６は電気的に消去・記録可能な不揮発性メモリであり、例えばＥＥＰＲＯＭ等が用いられる。
【００６６】
６０、６２、６４及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００６７】
ここで、これらの操作手段の具体的な説明を行う。
【００６８】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００６９】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００７０】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００７１】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン等がある。
【００７２】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００７３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００７４】
９０及び９４はメモリカードやハードディスク等の記録媒体とのインタフェース、９２及び９６はメモリカードやハードディスク等の記録媒体と接続を行うコネクタ、９８はコネクタ９２或いは９６に記録媒体２００或いは２１０が装着されているか否かを検知する記録媒体着脱検知手段である。
【００７５】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００７６】
インタフェース及びコネクタとしては、ＰＣＭＣＩＡカードやＣＦ（コンパクトフラッシュ（登録商標））カード等の規格に準拠したものを用いて構成して構わない。
【００７７】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００７８】
１０２は、画像処理装置１００のレンズ１０を含む撮像部を覆う事により、撮像部の汚れや破損を防止するバリアである保護手段である。
【００７９】
１０４は光学ファインダであり、画像表示部２８による電子ファインダ機能を使用すること無しに、光学ファインダのみを用いて撮影を行うことが可能である。
【００８０】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００８１】
１１２は通信手段１１０により画像処理装置１００を他の機器と接続するコネクタ或いは無線通信の場合はアンテナである。
【００８２】
２００はメモリカードやハードディスク等の記録媒体である。
【００８３】
記録媒体２００は、半導体メモリや磁気ディスク等から構成される記録部２０２、画像処理装置１００とのインタフェース２０４、画像処理装置１００と接続を行うコネクタ２０６を備えている。
【００８４】
２１０はメモリカードやハードディスク等の記録媒体である。
【００８５】
記録媒体２１０は、半導体メモリや磁気ディスク等から構成される記録部２１２、画像処理装置１００とのインタフェース２１４、画像処理装置１００と接続を行うコネクタ２１６を備えている。
【００８６】
図１、図９、図１０を参照して、ベクタ図形とラスタ図形の表示について説明する。
【００８７】
ベクタ図形は、図形情報として座標情報で構成されることを特徴とし、この座標情報を元に図形を描画する。具体的には図１おいて、メモリ５２に保持されているベクタ図形はその譲歩として保持されている座標情報を元にラスタ図形への展開がシステム制御５０の演算によって行われ、画像表示メモリ２４へ表示用データとして転送される。一方ラスタ図形はビットマップ情報として同様にメモリ５２に保持され、これをそのままシステム制御５０によりそのまま画像表示メモリ２４へ表示用データとして転送される。
【００８８】
ベクタ図形は上記のように座標情報から逐次表示用データを生成するため、予めシステムに記憶しておく情報としては少ないもので済み、また座標情報で構成されるためラスタ図形への展開時のサイズを任意に変更できる利点がある一方、詳細な描画情報は含まないため細かな画像の表示には不向きである。一方、ラスタ画像は画像として描画するドット情報をすべて情報として持つためシステムに予め記憶しておく情報量が多くなり、拡大、縮小のサイズ変更もできない一方、詳細な部分の描写を予め決定しておくことができ、見栄えの良い描画や、複雑な画像の描画が可能となる。
【００８９】
図２乃至図８を参照して、実施例の動作を説明する。
【００９０】
図２及び図３は本実施例の画像処理装置１００の主ルーチンのフローチャートを示す。
【００９１】
図２及び図３を用いて、画像処理装置１００の動作を説明する。
【００９２】
電池交換等の電源投入により、システム制御回路５０はフラグや制御変数、ベクタ画像サイズ等を初期化し（Ｓ１０１）、画像表示部２８の画像表示をＯＦＦ状態に初期設定する（Ｓ１０２）。
【００９３】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００９４】
モードダイアル６０が撮影モードに設定されていたならば（Ｓ１０３）、Ｓ１０６に進む。
【００９５】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００９６】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００９７】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば画像表示部２８及び表示部５４を用いて画像や音声により所定の警告表示を行った後に（Ｓ１０８）、Ｓ１０３に戻る。
【００９８】
記録媒体２００或いは２１０の動作状態に問題が無いならば（Ｓ１０７）、画像表示部２８及び表示部５４を用いて画像や音声により画像処理装置１００の各種設定状態の表示を行う（Ｓ１０９）。
【００９９】
Ｓ１０９において、システム制御回路５０は操作部７０より、使用者からの設定変更の指示があったと判断したならば後述する設定表示の制御を行う。Ｓ１０９の設定表示についての詳細については図７、８を用いて後述する。
【０１００】
システム制御回路５０は、画像表示部２８の画像表示をＯＮ状態に設定し（Ｓ１１５）、さらに撮像した画像データを逐次表示するスルー表示状態に設定して（Ｓ１１６）、Ｓ１１９に進む。
【０１０１】
スルー表示状態においては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダ機能を実現している。
【０１０２】
シャッタースイッチＳＷ１が押されていないならば（Ｓ１１９）、Ｓ１０３に戻る。
【０１０３】
シャッタースイッチＳＷ１が押されたならば（Ｓ１１９）、システム制御回路５０は画像表示部２８の表示状態をフリーズ表示状態に設定して（Ｓ１２１）、Ｓ１２２に進む。
【０１０４】
フリーズ表示状態においては、撮像素子１４、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダに表示している。
【０１０５】
システム制御回路５０は、測距処理を行って撮影レンズ１０の焦点を被写体に合わせ、測光処理を行って絞り値及びシャッター時間を決定する（Ｓ１２２）。測光処理において、必要であればフラッシュの設定も行う。
【０１０６】
この測距・測光処理Ｓ１２２の詳細は図４を用いて後述する。
【０１０７】
測距・測光処理Ｓ１２２を終えたならば、システム制御回路５０は画像表示部２８の表示状態をスルー表示状態に設定して（Ｓ１２４）、Ｓ１２５に進む。なお、Ｓ１２４でのスルー表示状態は、Ｓ１１６でのスルー状態と同じ動作状態である。
【０１０８】
シャッタースイッチＳＷ２が押されずに（Ｓ１２５）、さらにシャッタースイッチＳＷ１も解除されたならば（Ｓ１２６）、Ｓ１０３に戻る。
【０１０９】
シャッタースイッチＳＷ２が押されたならば（Ｓ１２５）、システム制御回路５０は画像表示部２８の表示状態を固定色表示状態に設定して（Ｓ１２８）、Ｓ１２９に進む。
【０１１０】
固定色表示状態においては、撮像素子１４、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダに表示している。
【０１１１】
画像表示フラグが解除されていたならば、Ｓ１２９に進む。
【０１１２】
システム制御回路５０は、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。
【０１１３】
この撮影処理Ｓ１２９の詳細は図５を用いて後述する。
【０１１４】
システム制御回路５０は、クイックレビュー表示を行う（Ｓ１３３）。この場合は、撮影中も画像表示部２８が電子ファインダとして常に表示された状態であり、撮影直後のクイックレビュー表示も行われる。
【０１１５】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。
【０１１６】
この記録処理Ｓ１３４の詳細は図６を用いて後述する。
記録処理Ｓ１３４が終了した際に、シャッタースイッチＳＷ２が押された状態であったならば（Ｓ１３５）、システム制御回路５０はシステム制御回路５０の内部メモリ或いはメモリ５２に記憶される連写フラグの状態を判断し（Ｓ１３６）、連写フラグが設定されていたならば、連続して撮影を行うためにＳ１２９に戻り、次の撮影を行う。
【０１１７】
連写フラグが設定されていないならば（Ｓ１３６）、シャッタースイッチＳＷ２が放されるまで（Ｓ１３５）、現在の処理を繰り返す。
【０１１８】
記録処理Ｓ１３４が終了した際にシャッタースイッチＳＷ２が放された状態であった、或いは、シャッタースイッチＳＷ２を押し続けてクイックレビュー表示を継続して撮影画像の確認を行った後にシャッタースイッチＳＷ２を放した状態であったならば（Ｓ１３５）、所定のミニマムレビュー時間が経過した後にＳ１３８に進む（Ｓ１３７）。
【０１１９】
システム制御回路５０は、画像表示部２８の表示状態をスルー表示状態に設定して（Ｓ１３９）、Ｓ１４１に進む。
【０１２０】
シャッタースイッチＳＷ１が押された状態であったならば（Ｓ１４１）、システム制御回路５０は、Ｓ１２５に戻って次の撮影に備える。
【０１２１】
シャッタースイッチＳＷ１が放された状態であったならば（Ｓ１４１）、システム制御回路５０は、一連の撮影動作を終えてＳ１０３に戻る。
【０１２２】
図４は、図３のＳ１２２における測距・測光処理の詳細なフローチャートを示す。
【０１２３】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１２４】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１２５】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【０１２６】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【０１２７】
露出（ＡＥ）が適正と判断したならば（Ｓ２０２）、測定データ及び或いは設定パラメータをシステム制御回路５０の内部メモリ或いはメモリ５２に記憶する。
【０１２８】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【０１２９】
ホワイトバランス（ＡＷＢ）が適正と判断したならば（Ｓ２０６）、測定データ及び或いは設定パラメータをシステム制御回路５０の内部メモリ或いはメモリ５２に記憶する。
【０１３０】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【０１３１】
測距（ＡＦ）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【０１３２】
図５は、図３のＳ１２９における撮影処理の詳細なフローチャートを示す。
【０１３３】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１４を露光する（Ｓ３０１、Ｓ３０２）。
【０１３４】
フラッシュフラグによりフラッシュ４８が必要か否かを判断し（Ｓ３０３）、必要な場合はフラッシュを発光させる（Ｓ３０４）。
【０１３５】
システム制御回路５０は、測光データに従って撮像素子１４の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【０１３６】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１３７】
システム制御回路５０は、メモリ３０から画像データを読み出し、メモリ制御回路２２を介して画像表示メモリ２４に表示画像データの転送を行う（Ｓ３１１）。
【０１３８】
一連の処理を終えたならば、撮影処理ルーチンＳ１２９を終了する。
【０１３９】
図６は、図３のＳ１３４における記録処理の詳細なフローチャートを示す。
【０１４０】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【０１４１】
そして、メモリ３０に書き込まれた画像データを読み出して、設定したモードに応じた画像圧縮処理を圧縮・伸長回路３２により行った後（Ｓ４０２）、インタフェース９０或いは９４、コネクタ９２或いは９６を介して、メモリカードやコンパクトフラッシュカード等の記録媒体２００或いは２１０へ圧縮した画像データの書き込みを行う（Ｓ４０３）。
【０１４２】
記録媒体への書き込みが終わったならば、記録処理ルーチンＳ１３４を終了する。
【０１４３】
図７は、図２のＳ１０９における設定表示処理の詳細なフローチャートの第１例である。
【０１４４】
システム制御回路５０は、操作部７０を通しての使用者からの設定変更等の操作開始指示の有無を判定する（Ｓ５０１）。操作開始の指示がないのであれば定常の設定情報、画像情報、記録媒体情報等の画像表示をラスタ画像を用いて行う（Ｓ５１４）。操作開始の指示があったと判断したならば指示対象画像のベクタ画像による可変描画の処理を開始する（Ｓ５０２〜Ｓ５０６）。Ｓ５０２において、最小ラスタサイズで表示されているラスタ画像と同等のサイズとなるベクタ画像の拡大率であるｉ＝Ｍｉｎを設定する。Ｓ５０４においては拡大率ｉのラスタ画像を所定フレーム時間表示する。その後、拡大率を順次インクリメントし（Ｓ５０６）、所定の最大サイズｉ＝Ｍａｘとなったならば、ｉ＝Ｍａｘのベクタ画像と同等のサイズに調整されている最大ラスタ画像の表示を行う（Ｓ５０７）。
【０１４５】
この状態においてユーザーが各種設定等の変更を行ったならば、現在の最大ラスタサイズにおいて設定状態の表示を設定状態を表す画像の切り替えにおいて行う。
【０１４６】
次にシステム制御回路５０は、操作部７０を通しての使用者からの設定変更等の操作終了指示の有無を判定する（Ｓ５０８）。操作終了の指示がないのであれば最大の画像表示をラスタ画像を用いて行う（Ｓ５０７）。操作終了の指示があったと判断したならばベクタ画像による可変描画の処理を開始する（Ｓ５０９〜Ｓ５１３）。Ｓ５０９において、最大ラスタサイズで表示されているラスタ画像と同等のサイズとなるベクタ画像の拡大率であるｉ＝Ｍａｘを設定する。Ｓ５１１においては拡大率ｉのラスタ画像を所定フレーム時間表示する。その後、拡大率を順次デクリメント（Ｓ５１３）、所定の最小サイズｉ＝Ｍｉｎとなったならば、ｉ＝Ｍｉｎのベクタ画像と同等のサイズに調整されている最小ラスタ画像の表示を行う（Ｓ５１４）。
【０１４７】
このようにして、定常的に表示する最小サイズの画像と最大サイズの画像は予め調整された見栄えの良いものとするので使用者の認知度の良いものとなる利点がある。
【０１４８】
一方使用者を注目点へ誘導する手段として画像のアニメーションによる拡大縮小を行っているが、この過渡的な状態においてはベクタ画像を用いているため、ラスタ画像での表現ではそのフレーム分用意しなくてはならない源画像（通常ビットマップデータ）を用意する必要が無くシステムの資源、具体的にいえばメモリ５２へ予め用意しておくべき画像情報の削減すなわちメモリ容量削減になり、システムとしてのコスト削減という利点がある。
【０１４９】
図８は、図２のＳ１０９における設定表示処理の詳細なフローチャートの第２例である。
【０１５０】
システム制御回路５０は、操作部７０を通しての使用者からの設定変更等の操作開始指示の有無を判定する（Ｓ６０１）。操作開始の指示がないのであればベクタサイズ＝ｉに最も近い設定情報、画像情報、記録媒体情報等の画像表示をラスタ画像を用いて行う（Ｓ６１６）。操作開始の指示があったと判断したならば操作対象画像のベクタ画像による可変描画の処理を開始する（Ｓ６０２〜Ｓ６０６）。Ｓ６０２において、現在の設定ラスタサイズ＝ｉを初期値として設定する。Ｓ６０４においては拡大率ｉのラスタ画像を所定フレーム時間表示する。その後、拡大率を順次インクリメントし（Ｓ６０６）、所定の最大サイズｉ＝Ｍａｘとなったならば、ｉ＝Ｍａｘのベクタ画像サイズの近傍のサイズに調整されているラスタ画像の表示を行う（Ｓ６０８）。一方、上記可変描画処理中に可変描画終了の指示があったならばその時点のベクタサイズ＝ｉのベクタ画像サイズの近傍のサイズに調整されているラスタ画像の表示を行う（Ｓ６０８）。
【０１５１】
この状態においてユーザーが各種設定等の変更を行ったならば、Ｓ６０８で表示されたラスタサイズにおいて設定状態の表示を設定状態を表す画像の切り替えにおいて行う。
【０１５２】
次にシステム制御回路５０は、操作部７０を通しての使用者からの設定変更等の操作終了指示の有無を判定する（Ｓ６０９）。操作終了の指示がないのであればベクタサイズ＝ｉに最も近い画像表示をラスタ画像を用いて行う（Ｓ６０８）。操作終了の指示があったと判断したならばベクタ画像による可変描画の処理を開始する（Ｓ６１０〜Ｓ６１４）。Ｓ６１０において、現在の設定ラスタサイズ＝ｉを初期値として設定する。Ｓ６１２においては拡大率ｉのラスタ画像を所定フレーム時間表示する。その後、拡大率を順次デクリメントし（Ｓ６１４）、所定の最小サイズｉ＝Ｍｉｎとなったならば、ｉ＝Ｍｉｎのベクタ画像サイズの近傍のサイズに調整されているラスタ画像の表示を行う（Ｓ６１６）。一方、上記可変描画処理中に可変描画終了の指示があったならばその時点のベクタサイズ＝ｉのベクタ画像サイズの近傍のサイズに調整されているラスタ画像の表示を行う（Ｓ６１６）。
【０１５３】
このようにして、定常的に表示するサイズの画像は予め調整された見栄えの良いものとするので使用者の認知度の良いものとなる利点がある。
【０１５４】
一方使用者を注目点へ誘導する手段として画像のアニメーションによる拡大縮小を行っているが、この過渡的な状態においてはベクタ画像を用いているため、通所のラスタ画像での表現ではそのフレーム分用意しなくてはならない源画像（通常ビットマップデータ）を用意する必要が無くシステムの資源具体的にいえばメモリ５２あるいは不揮発メモリ５６へ予め用意しておくべき画像情報の削減になり、システムとしてのコスト削減という利点がある。
【０１５５】
また、可変描画途中での任意の可変描画停止の指示があった場合、その時点でのベクタ画像サイズに最も近いラスタ画像を表示することにより、違和感無く見栄えの良いラスタ表示を行えるという利点がある。
【０１５６】
以上、図７、８を用いて本発明の実施例の説明を行った。
【０１５７】
なお、画像の表示位置については拡大、縮小に伴って自由に表示位置を変更しても良い。
【０１５８】
また、実施例では、画像のベクタ図形によりサイズ変更を拡大、縮小の順で行っているがこの順序は入れ替わってもよいし、あるいは、数回繰り返しても良い。
【０１５９】
また、設定変更においては固定ラスタ表示において表示の切り替えを行っているが、設定変更毎にベクタ画像によるアニメーション表示を行っても良い。
【０１６０】
また、フローには明記していないが可変描画途中での任意の可変描画停止の指示によりその時点でのベクタ画像サイズに最も近いラスタ画像を表示する場合、現在の可変方向（拡大方向または縮小方向）において最も近いサイズのラスタ画像の表示を行っても良い。
【０１６１】
また、フローには明記していないが可変描画途中での任意の可変描画停止の指示によりその時点でのベクタ画像サイズに最も近いラスタ画像を表示する場合、最も近いサイズのラスタ画像のサイズになるまでベクタ画像表示による可変描画を続けても良い。
【図面の簡単な説明】
【０１６２】
【図１】本発明の一実施例の構成ブロック図である。
【図２】本実施例の主ルーチンのフローチャートの一部である。
【図３】本実施例の主ルーチンのフローチャートの一部である。
【図４】本実施例の測距・測光ルーチンのフローチャートである。
【図５】本実施例の撮影ルーチンのフローチャートである。
【図６】本実施例の記録ルーチンのフローチャートである
【図７】本実施例の設定表示ルーチンのフローチャートである。
【図８】本実施例の設定表示ルーチンのフローチャートである。
【図９】本実施例のベクタフォントの概念例を示す図である。
【図１０】本実施例のラスタフォントの概念例を示す図である。
【符号の説明】
【０１６３】
１０    撮影レンズ
１２    シャッター
１４    撮像素子
１６    Ａ／Ｄ変換器
１８    タイミング発生回路
２０    画像処理回路
２２    メモリ制御回路
２４    画像表示メモリ
２６    Ｄ／Ａ変換器
２８    画像表示部
３０    メモリ
３２    画像圧縮・伸長回路
４０    露光制御手段
４２    測距制御手段
４４    ズーム制御手段
４６    バリア制御手段
４８    フラッシュ
５０    システム制御回路
５２    メモリ
５４    表示部
５６    不揮発性メモリ
６０    モードダイアルスイッチ
６２    シャッタースイッチＳＷ１
６４    シャッタースイッチＳＷ２
７０    操作部
８０    電源制御手段
８２    コネクタ
８４    コネクタ
８６    電源手段
９０    インタフェース
９２    コネクタ
９４    インタフェース
９６    コネクタ
９８    記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2006086966.tif 000003
【図２】
2006086966.tif 000004
【図３】
2006086966.tif 000005
【図４】
2006086966.tif 000006
【図５】
2006086966.tif 000007
【図６】
2006086966.tif 000008
【図７】
2006086966.tif 000009
【図８】
2006086966.tif 000010
【図９】
2006086966.tif 000011
【図１０】
2006086966.tif 000012